(57)【要約】【課題】装置としての加熱効率を高いものする。【解決手段】制御手段Ｈは、外気温検出手段による検出情報、浴槽温検出手段による検出情報、積算加熱効率可否判別用条件、沸き上げ時間可否判別用条件、および、冷媒圧力可否判別用条件に基づいて、積算加熱効率条件、加熱時間条件、および、冷媒圧力条件のすべてを満たすときには、ヒートポンプ式加熱手段３ａの運転が可であると判別し、積算加熱効率条件、加熱時間条件、および、冷媒圧力条件のいずれかひとつでも満たさないときには、ヒートポンプ式加熱手段３ａの運転が不可であると判別する運転可否判別処理を実行し、その運転可否判別処理において、ヒートポンプ式加熱手段３ａの運転が可のときには、ヒートポンプ式加熱手段３ａのみを運転させ、ヒートポンプ式加熱手段３ａの運転が不可のときには、補助加熱手段３ｂのみを運転させる加熱手段選択運転を実行する。【選択図】        図１
2004205140.tif 000002
【特許請求の範囲】
【請求項１】
加熱手段にて加熱した熱源用湯水を放熱部に供給したのち、その熱源用湯水を前記加熱手段に戻す熱源用湯水循環手段と、
浴槽湯水を前記放熱部と浴槽との間で循環させる浴槽湯水循環手段と、
前記加熱手段の運転を制御する制御手段とが設けられ、
前記放熱部において、前記熱源用湯水から前記浴槽湯水に対して放熱させることにより、前記浴槽湯水を加熱するように構成されている風呂用追焚装置であって、
前記加熱手段が、ヒートポンプ式加熱手段と補助加熱手段とから構成され、
外気温度を検出する外気温検出手段と、前記浴槽湯水の温度を検出する浴槽温検出手段とが設けられ、
前記制御手段に、
前記ヒートポンプ式加熱手段を運転させることにより前記浴槽湯水を加熱したときの加熱開始から加熱完了までの積算加熱効率が前記補助加熱手段を運転させることにより前記浴槽湯水を加熱したときの加熱開始から加熱完了までの積算加熱効率を上回る積算加熱効率条件を満たすか否かを、前記外気温度と前記浴槽湯水の温度とから判別するための積算加熱効率可否判別用条件と、
前記ヒートポンプ式加熱手段を運転させることにより前記浴槽湯水を加熱したときの加熱開始から加熱完了までの加熱時間が加熱開始時の浴槽湯水の温度が低いほど長くなるように設定される沸き上げ期待時間よりも短くなる加熱時間条件を満たすか否かを、前記外気温度と前記浴槽湯水の温度とから判別するための沸き上げ時間可否判別用条件と、
前記ヒートポンプ式加熱手段を運転させることにより前記浴槽湯水を加熱したときの前記ヒートポンプ式加熱手段における冷媒圧力が設定圧力以下になる冷媒圧力条件を満たすか否かを、前記外気温度と前記浴槽湯水の温度とから判別するための冷媒圧力可否判別用条件とが記憶され、
前記制御手段は、前記外気温検出手段による検出情報、前記浴槽温検出手段による検出情報、前記積算加熱効率可否判別用条件、前記沸き上げ時間可否判別用条件、および、前記冷媒圧力可否判別用条件に基づいて、前記積算加熱効率条件、前記加熱時間条件、および、前記冷媒圧力条件のすべてを満たすときには、前記ヒートポンプ式加熱手段の運転が可であると判別し、前記積算加熱効率条件、前記加熱時間条件、および、前記冷媒圧力条件のいずれかひとつでも満たさないときには、前記ヒートポンプ式加熱手段の運転が不可であると判別する運転可否判別処理を実行し、
その運転可否判別処理において、前記ヒートポンプ式加熱手段の運転が可のときには、前記ヒートポンプ式加熱手段のみを運転させ、前記ヒートポンプ式加熱手段の運転が不可のときには、前記補助加熱手段のみを運転させる加熱手段選択運転を実行するように構成されている風呂用追焚装置。
【請求項２】
前記熱源用湯水循環手段は、給湯路が接続されている貯湯タンクの底部から取り出した湯水を前記加熱手段にて加熱したのち、その湯水を前記貯湯タンクの上部に戻す貯湯循環状態に切換自在に構成され、
前記制御手段は、前記運転可否判別処理において、前記ヒートポンプ式加熱手段を運転させることにより前記浴槽湯水を加熱したときの加熱完了時刻を推定し、その加熱完了時刻から設定時間内に前記貯湯タンク内の湯水を給湯する給湯要求があるか否かを判別し、
前記積算加熱効率条件のみを満たしておらず、前記加熱完了時刻から設定時間内に前記給湯要求があるときには、前記ヒートポンプ式加熱手段のみを運転させて前記浴槽湯水を加熱したのち、前記ヒートポンプ式加熱手段の運転を継続させて、前記熱源用湯水循環手段を前記貯湯循環状態に切り換え、前記貯湯タンク内の湯水を加熱する追焚貯湯連続運転を実行するように構成されている請求項１に記載の風呂用追焚装置。
【請求項３】
前記制御手段は、前記運転可否判別処理において、前記追焚貯湯連続運転を実行したときの運転開始から運転停止までの連続運転用積算加熱効率を求めて、その連続運転用積算加熱効率が、前記補助加熱手段を運転させることにより前記浴槽湯水および前記貯湯タンク内の湯水を加熱したときの加熱効率を上回るように設定される補助加熱手段用の設定積算加熱効率を上回るか否かを判別し、
前記積算加熱効率条件のみを満たしておらず、前記加熱完了時刻から設定時間内に給湯要求があるときには、前記連続運転用積算加熱効率が補助加熱手段用の設定積算加熱効率を上回るときのみ、前記追焚貯湯連続運転を実行するように構成されている請求項２に記載の風呂用追焚装置。
【発明の詳細な説明】
【０００１】
【発明の属する技術分野】
本発明は、加熱手段にて加熱した熱源用湯水を放熱部に供給したのち、その熱源用湯水を前記加熱手段に戻す熱源用湯水循環手段と、浴槽湯水を前記放熱部と浴槽との間で循環させる浴槽湯水循環手段と、前記加熱手段の運転を制御する制御手段とが設けられ、前記放熱部において、前記熱源用湯水から前記浴槽湯水に対して放熱させることにより、前記浴槽湯水を加熱するように構成されている風呂用追焚装置に関する。
【０００２】
【従来の技術】
上記のような風呂用追焚装置は、熱源用湯水循環手段によって加熱手段にて加熱した熱源用湯水を放熱部に供給し、浴槽湯水循環手段によって浴槽湯水を放熱部に供給し、放熱部において熱源用湯水にて加熱された浴槽湯水を浴槽に戻すことにより、風呂の追焚きを行っているものである。
【０００３】
この種の風呂用追焚装置において、従来では、加熱手段が、ヒートポンプ式加熱手段と補助加熱手段とから構成され、制御手段は、追焚き開始時の外気温度および浴槽湯水の温度に基づいて、加熱効率、加熱時間、冷媒圧力の３つの条件から、ヒートポンプ式加熱手段の運転の可否を判別し、ヒートポンプ式加熱手段の運転が可であるときには、ヒートポンプ式加熱手段のみを運転させて追焚きを行い、ヒートポンプ式加熱手段の運転が不可であるときには、補助加熱手段のみを運転させて追焚きを行うように構成されている。
ちなみに、加熱効率とは、実際に得られたエネルギー量を入力したエネルギー量で割った値である。
【０００４】
説明を加えると、制御手段には、加熱効率可否判別用条件と沸き上げ時間可否判別用条件と冷媒圧力可否判別用条件との３つの判別用条件が記憶され、制御手段は、追焚き開始時の外気温度および浴槽湯水の温度と、記憶されている３つの判別用条件とから、加熱効率条件、加熱時間条件、冷媒圧力条件の３つの条件について満たすか否かを判別し、３つの条件とも満たすときには、ヒートポンプ式加熱手段の運転が可であると判別し、３つの条件のうちひとつでも満たさない条件があるときには、ヒートポンプ式加熱手段の運転が不可であると判別している。
【０００５】
上記３つの条件について説明を加えると、加熱効率条件は、ヒートポンプ式加熱手段を運転させたときの加熱効率が補助加熱手段を運転させたときの加熱効率を上回るための条件であり、加熱時間条件は、ヒートポンプ式加熱手段を運転させたときに追焚きにかかる時間が浴槽湯水の温度が低いほど長くなるように設定される沸き上げ期待時間よりも短くするための条件であり、冷媒圧力条件は、ヒートポンプ式加熱手段を運転させたときにヒートポンプ式加熱手段における冷媒圧力が設定圧力以下とするための条件である。
そして、加熱効率可否判別用条件は、加熱効率条件を満たすか否かを、外気温度と浴槽湯水の温度とから判別するための条件であり、沸き上げ時間可否判別用条件は、上述の加熱時間条件を満たすか否かを、外気温度と浴槽湯水の温度とから判別するための条件であり、冷媒圧力可否判別用条件は、上述の冷媒圧力条件を満たすか否かを、外気温度と浴槽湯水の温度とから判別するための条件である（例えば、特許文献１参照。）。
【０００６】
【特許文献１】
特開２００１−３１７８０６号公報
【０００７】
【発明が解決しようとする課題】
上記従来の風呂用追焚装置における加熱効率条件は、例えば、ヒートポンプ式加熱手段が定常状態になった時点など、ある時点でのヒートポンプ式加熱手段の瞬時加熱効率を基にして、その瞬時加熱効率が補助加熱手段を運転させたときの加熱効率を上回るための条件であるので、ヒートポンプ式加熱手段を運転させて追焚きを行うと、追焚きの開始から終了までの積算加熱効率が低くなるときにも、ヒートポンプ式加熱手段のみを運転させて追焚きを行うことになり、装置としての加熱効率が低くなる虞があった。
【０００８】
説明を加えると、ヒートポンプ式加熱手段を運転させたときの加熱効率は、運転を開始させてからある程度の時間が経過するまでの運転開始初期は低く、運転を開始させてからある程度の時間が経過して定常状態に至ると高くなる。
したがって、積算加熱効率は、加熱効率の低い運転開始初期の加熱効率を積算することになるので、ある時点での瞬時加熱効率と運転を開始させてからその時点までの積算加熱効率とを比較すると、図１０に示すように、積算加熱効率の方が瞬時加熱効率よりも低くなる。
以上のことから、瞬時加熱効率を基に定められた加熱効率条件を満たしていても、ヒートポンプ式加熱手段を運転させて追焚きを行うと、追焚きの開始から終了までの積算加熱効率が低くなることがあり、装置としての加熱効率が低いものとなる。
【０００９】
本発明は、かかる点に着目してなされたものであり、その目的は、追焚きの開始から終了までの積算加熱効率の向上を図り、装置としての加熱効率を高いものすることが可能となる風呂用追焚装置を提供する点にある。
【００１０】
【課題を解決するための手段】
この目的を達成するために、請求項１に記載の発明によれば、加熱手段にて加熱した熱源用湯水を放熱部に供給したのち、その熱源用湯水を前記加熱手段に戻す熱源用湯水循環手段と、
浴槽湯水を前記放熱部と浴槽との間で循環させる浴槽湯水循環手段と、
前記加熱手段の運転を制御する制御手段とが設けられ、
前記放熱部において、前記熱源用湯水から前記浴槽湯水に対して放熱させることにより、前記浴槽湯水を加熱するように構成されている風呂用追焚装置において、
前記加熱手段が、ヒートポンプ式加熱手段と補助加熱手段とから構成され、
外気温度を検出する外気温検出手段と、前記浴槽湯水の温度を検出する浴槽温検出手段とが設けられ、
前記制御手段に、
前記ヒートポンプ式加熱手段を運転させることにより前記浴槽湯水を加熱したときの加熱開始から加熱完了までの積算加熱効率が前記補助加熱手段を運転させることにより前記浴槽湯水を加熱したときの加熱開始から加熱完了までの積算加熱効率を上回る積算加熱効率条件を満たすか否かを、前記外気温度と前記浴槽湯水の温度とから判別するための積算加熱効率可否判別用条件と、
前記ヒートポンプ式加熱手段を運転させることにより前記浴槽湯水を加熱したときの加熱開始から加熱完了までの加熱時間が加熱開始時の浴槽湯水の温度が低いほど長くなるように設定される沸き上げ期待時間よりも短くなる加熱時間条件を満たすか否かを、前記外気温度と前記浴槽湯水の温度とから判別するための沸き上げ時間可否判別用条件と、
前記ヒートポンプ式加熱手段を運転させることにより前記浴槽湯水を加熱したときの前記ヒートポンプ式加熱手段における冷媒圧力が設定圧力以下になる冷媒圧力条件を満たすか否かを、前記外気温度と前記浴槽湯水の温度とから判別するための冷媒圧力可否判別用条件とが記憶され、
前記制御手段は、前記外気温検出手段による検出情報、前記浴槽温検出手段による検出情報、前記積算加熱効率可否判別用条件、前記沸き上げ時間可否判別用条件、および、前記冷媒圧力可否判別用条件に基づいて、前記積算加熱効率条件、前記加熱時間条件、および、前記冷媒圧力条件のすべてを満たすときには、前記ヒートポンプ式加熱手段の運転が可であると判別し、前記積算加熱効率条件、前記加熱時間条件、および、前記冷媒圧力条件のいずれかひとつでも満たさないときには、前記ヒートポンプ式加熱手段の運転が不可であると判別する運転可否判別処理を実行し、
その運転可否判別処理において、前記ヒートポンプ式加熱手段の運転が可のときには、前記ヒートポンプ式加熱手段のみを運転させ、前記ヒートポンプ式加熱手段の運転が不可のときには、前記補助加熱手段のみを運転させる加熱手段選択運転を実行するように構成されている。
【００１１】
すなわち、制御手段は、追焚きを開始するときに運転可否判別処理を実行し、その運転可否判別処理において、外気温検出手段による検出情報および浴槽温検出手段による検出情報と、記憶されている積算加熱効率可否判別用条件、沸き上げ時間可否判別用条件および冷媒圧力可否判別用条件とに基づいて、積算加熱効率条件、加熱時間条件、および、冷媒圧力条件の３つの条件について満たすか否かを判別し、３つの条件のすべてを満たすときには、ヒートポンプ式加熱手段の運転が可であると判別し、３つの条件のうちひとつでも満たさない条件があるときには、ヒートポンプ式加熱手段の運転が不可であると判別することになる。
そして、制御手段は、運転可否判別処理の判別結果に基づいて、加熱手段選択運転を実行し、ヒートポンプ式加熱手段の運転が可のときには、ヒートポンプ式加熱手段のみを運転させて追焚きを行い、ヒートポンプ式加熱手段の運転が不可のときには、補助加熱手段のみを運転させて追焚きを行うことになる。
【００１２】
前記積算加熱効率条件は、追焚きの開始から終了までの積算加熱効率を基にして、ヒートポンプ式加熱手段を運転させることにより浴槽湯水を加熱したときの加熱開始から加熱完了までの積算加熱効率が補助加熱手段を運転させることにより浴槽湯水を加熱したときの加熱開始から加熱完了までの積算加熱効率を上回るための条件である。
したがって、制御手段は、追焚きの開始から終了までの積算加熱効率が、ヒートポンプ式加熱手段を運転させたときと補助加熱手段を運転させたときとでどちらが高くなるかを判別し、その積算加熱効率が高くなる方を選択して運転させて追焚きを行うことができることになる。
【００１３】
以上のことから、請求項１に記載の発明によれば、追焚きの開始から終了までの積算加熱効率が高くなるようにしながら追焚きを行うことができることとなって、追焚きの開始から終了までの積算加熱効率の向上を図り、装置としての加熱効率を高いものとすることが可能となる風呂用追焚装置を提供できるに至った。
【００１４】
請求項２に記載の発明によれば、前記熱源用湯水循環手段は、給湯路が接続されている貯湯タンクの底部から取り出した湯水を前記加熱手段にて加熱したのち、その湯水を前記貯湯タンクの上部に戻す貯湯循環状態に切換自在に構成され、前記制御手段は、前記運転可否判別処理において、前記ヒートポンプ式加熱手段を運転させることにより前記浴槽湯水を加熱したときの加熱完了時刻を推定し、その加熱完了時刻から設定時間内に前記貯湯タンク内の湯水を給湯する給湯要求があるか否かを判別し、
前記積算加熱効率条件のみを満たしておらず、前記加熱完了時刻から設定時間内に前記給湯要求があるときには、前記ヒートポンプ式加熱手段のみを運転させて前記浴槽湯水を加熱したのち、前記ヒートポンプ式加熱手段の運転を継続させて、前記熱源用湯水循環手段を前記貯湯循環状態に切り換え、前記貯湯タンク内の湯水を加熱する追焚貯湯連続運転を実行するように構成されている。
【００１５】
すなわち、制御手段は、運転可否判別処理において、積算加熱効率条件、加熱時間条件、および、冷媒圧力条件の３つの条件について満たすか否かの判別とともに、加熱完了時刻から設定時間内に給湯要求があるか否かを判別することになる。
そして、制御手段は、加熱完了時刻から設定時間内に給湯要求があるときには、積算加熱効率条件のみを満たしていないだけであれば、追焚貯湯連続運転を実行して、ヒートポンプ式加熱手段を運転させて追焚きと貯湯タンクへの貯湯とを連続して行うことになる。
【００１６】
前記追焚貯湯連続運転を実行して、ヒートポンプ式加熱手段を運転させて追焚きと貯湯タンクへの貯湯とを連続して行うことによって、加熱効率の低い運転開始当初での運転を回避して貯湯タンクへの貯湯を行うことができることになるので、追焚きと貯湯タンクへの貯湯を行ったときの積算加熱効率は、補助加熱手段を運転させて追焚きと貯湯タンクへの貯湯を行うよりも高いものとなる。
【００１７】
したがって、制御手段は、追焚きだけでなく、その追焚き後に貯湯タンクへ貯湯する予定があるか否かを加味した状態で、ヒートポンプ式加熱手段と補助加熱手段とのどちらを運転させる方が積算加熱効率が高くなるのか判別し、その積算加熱効率が高くなる方を選択して運転させて追焚きおよび貯湯タンクへの貯湯を行うことができることとなって、装置としての加熱効率をより一層高いものとすることができることになる。
【００１８】
請求項３に記載の発明によれば、前記制御手段は、前記運転可否判別処理において、前記追焚貯湯連続運転を実行したときの運転開始から運転停止までの連続運転用積算加熱効率を求めて、その連続運転用積算加熱効率が、前記補助加熱手段を運転させることにより前記浴槽湯水および前記貯湯タンク内の湯水を加熱したときの加熱効率を上回るように設定される補助加熱手段用の設定積算加熱効率を上回るか否かを判別し、
前記積算加熱効率条件のみを満たしておらず、前記加熱完了時刻から設定時間内に給湯要求があるときには、前記連続運転用積算加熱効率が補助加熱手段用の設定積算加熱効率を上回るときのみ、前記追焚貯湯連続運転を実行するように構成されている。
【００１９】
すなわち、制御手段は、運転可否判別処理において、積算加熱効率条件、加熱時間条件、および、冷媒圧力条件の３つの条件について満たすか否かの判別とともに、加熱完了時刻から設定時間内に給湯要求があるか否かの判別、さらに、連続運転用積算加熱効率が補助加熱手段用の設定積算加熱効率を上回るか否かを判別することになる。
そして、制御手段は、加熱完了時刻から設定時間内に給湯要求があるときには、積算加熱効率条件のみを満たしていないだけであれば、連続運転用積算加熱効率が補助加熱手段用の設定積算加熱効率を上回るときのみ、追焚貯湯連続運転を実行して、ヒートポンプ式加熱手段を運転させて追焚きと貯湯タンクへの貯湯とを連続して行うことになる。
【００２０】
したがって、制御手段は、単純に、追焚貯湯連続運転を実行するのではなく、連続運転用積算加熱効率が補助加熱手段用の設定積算加熱効率を上回る否かを判別し、連続運転用積算加熱効率が補助加熱手段用の設定積算加熱効率を上回るときのみ、追焚貯湯連続運転を実行することになるので、補助加熱手段用の設定積算加熱効率を確実に上回る状態で、追焚きと貯湯タンクへの貯湯を行うことができることとなって、装置としての加熱効率を確実に高くすることができることになる。
【００２１】
【発明の実施の形態】
本発明にかかる風呂用追焚装置を貯湯式の風呂給湯装置に適応した例を図面に基づいて説明する。
〔第１実施形態〕
この貯湯式の風呂給湯装置は、図１に示すように、温度成層を形成する状態で貯湯される貯湯タンク１、貯湯タンク１内の湯水を循環するための循環路２、循環路２を通流する湯水を加熱する加熱手段３、加熱手段３の運転を制御する制御手段としての運転制御部Ｈなどから構成されている。
【００２２】
前記貯湯タンク１内には、その湯温を検出することにより貯湯量を検出する最上部サーミスタＳ１および底部サーミスタＳ２が設けられている。
前記貯湯タンク１には、その底部から貯湯タンク１に水道水圧を用いて給水する給水路４が接続され、その上部から給湯するための給湯路５が接続され、使用された量だけの水を給水路４から貯湯タンク１に給水するように構成されている。
【００２３】
前記給湯路５には、給水路４から分岐された混合用給水路６が接続され、その接続箇所に給湯路５からの湯水と混合用給水路６からの水との混合比を調整自在なミキシングバルブ７が設けられている。
前記給水路４と混合用給水路６との分岐箇所には、給水温度を検出する給水サーミスタ８が設けられている。
【００２４】
また、給湯路５におけるミキシングバルブ７よりも上流側には、貯湯タンク１の上部から給湯路５に給湯された湯水の温度を検出する貯湯出口サーミスタ９が設けられ、給湯路５におけるミキシングバルブ７よりも下流側には、給湯路５の湯水の流量を調整する給湯流量センサ１０、ミキシングバルブ７にて混合された湯水の温度を検出するミキシングサーミスタ１１が設けられている。
そして、給湯路５におけるミキシングサーミスタ１１よりも下流側が、台所や洗面所などの給湯栓１４に給湯する一般給湯路５ａと、浴槽Ｐに湯水を供給するための湯張り路５ｂとに分岐され、湯張り路５ｂが浴槽Ｐへの風呂往き路１３に接続され、湯張り路５ｂに湯張り開閉弁２９が設けられ、風呂戻り路１２および風呂往き路１３の両路を通して浴槽Ｐに湯水を供給するようにしている。
【００２５】
給湯操作手段Ｋが、貯湯出口サーミスタ９、給水サーミスタ８、ミキシングバルブ７、ミキシングサーミスタ１１、および、湯張り開閉弁２９などにより構成されている。
【００２６】
前記循環路２と貯湯タンク１とが、循環路２を通流する湯水を貯湯タンク１内に戻す、または、貯湯タンク１内の湯水を循環路２に取り出すために、貯湯タンク１の上部と底部の合計２箇所で連通接続されている。
具体的に説明すると、貯湯タンク１の上部には、循環路２の湯水を貯湯タンク１内に供給するための貯湯路１５が連通接続され、その貯湯路１５には、貯湯開閉弁１６が設けられている。
また、貯湯タンク１の底部には、貯湯タンク１内の湯水を循環路２に取り出すための取り出し路１７が連通接続されている。
【００２７】
そして、循環路２には、湯水の循環方向に順に、循環路２の湯水の循環量を検出する循環流量センサ１８、循環ポンプ１９、循環路２の湯水の循環量を調整する循環流量調整バルブ２０、加熱手段３、加熱手段３にて加熱された湯水の温度を検出する加熱温サーミスタ２１、湯水の通流を断続する開閉弁２２、放熱部としての風呂追焚用放熱部２３が設けられている。
【００２８】
熱源用湯水循環手段Ｅが、循環路２、循環ポンプ１９、循環流量センサ１８、循環流量調整バルブ２０、加熱温サーミスタ２１、貯湯開閉弁１６、および、開閉弁２２などから構成されている。
そして、熱源用湯水循環手段Ｅは、加熱手段３にて加熱した熱源用湯水としての湯水を風呂追焚用放熱部２３に供給したのち、その湯水を加熱手段３に戻す放熱循環状態と、貯湯タンク１の底部から取り出した湯水を加熱手段３にて加熱したのち、その湯水を貯湯タンク１の上部に戻す貯湯循環状態とに切換自在に構成されている。
【００２９】
前記加熱手段３は、詳述はしないが、ヒートポンプ装置による冷媒を供給して湯水を加熱するヒートポンプ式加熱手段３ａと、バーナの燃焼により湯水を加熱する補助加熱手段３ｂとから構成され、循環路２の湯水の循環方向において上流側から、ヒートポンプ式加熱手段３ａ、補助加熱手段３ｂの順に設けられている。
【００３０】
前記ヒートポンプ式加熱手段３ａは、運転制御部Ｈとの通信などによりヒートポンプ装置を作動させて、ヒートポンプ式加熱手段３ａに冷媒を供給することによって、循環路２を通流する湯水を加熱するように構成されている。
また、補助加熱手段３ｂは、循環路２を通して設定量以上の水量が供給されると、バーナの燃焼を開始し、供給される水量が設定量未満になると、バーナの燃焼を停止させ、バーナの燃焼状態において、バーナの燃焼量を調整することによって、加熱した湯水の温度を調整可能に構成されている。
【００３１】
前記風呂追焚用放熱部２３には、風呂戻り路１２および風呂往き路１３が接続され、風呂ポンプ２４の作動により、風呂戻り路１２および風呂往き路１３を通して浴槽Ｐ内の湯水を循環させるように構成されている。
前記風呂戻り路１２には、浴槽Ｐ内の湯水の循環方向の上流側から順に、浴槽内の湯水の水位を検出する圧力式の水位センサ２５、風呂戻り路１２の湯水の温度を検出する浴槽温検出手段としての風呂戻りサーミスタ２６、二方弁２７、風呂ポンプ２４、風呂水流スイッチ２８が設けられている。
【００３２】
浴槽湯水循環手段としての風呂操作手段Ｆが、水位センサ２５、風呂戻りサーミスタ２６、二方弁２７、風呂ポンプ２４などにより構成され、浴槽湯水を風呂追焚用放熱部２３と浴槽Ｐとの間で循環させるように構成されている。
そして、熱源用湯水循環手段Ｅによって加熱手段３にて加熱した湯水を風呂追焚用放熱部２３に供給し、風呂操作手段Ｆによって浴槽湯水を風呂追焚用放熱部２３に供給し、風呂追焚用放熱部２３において、加熱手段３にて加熱した湯水から浴槽湯水に対して放熱させることにより、浴槽湯水を加熱するように構成されている。
【００３３】
前記運転制御部Ｈは、図２に示すように、貯湯リモコンＲ２の指令に基づいて、熱源用湯水循環手段Ｅ、給湯操作手段Ｋ、風呂操作手段Ｆ、および、加熱手段３の作動を制御することによって、貯湯タンク１内に湯水を貯湯する貯湯運転、給湯栓１４や浴槽Ｐに所望の湯水を供給する給湯運転、浴槽Ｐ内の湯水を追焚する追焚運転などの夫々の運転を実行するように構成されている。
また、外気温度を検出する外気温検出手段としての外気温センサ３０が設けられている。
【００３４】
前記貯湯リモコンＲ２は、図示はしないが、貯湯要求、湯張り要求、追焚要求などの各要求が指令可能で、給湯運転における給湯設定温度、湯張り設定温度、設定湯張り量などを設定可能に構成されている。
【００３５】
以下、各運転について説明を加える。
前記貯湯運転は、貯湯リモコンＲ２により貯湯要求が指令されたり、学習制御などにより貯湯タンク１内の湯水を給湯することが予測されるとして求められた給湯用時間帯の前に開始され、貯湯開閉弁１６を開弁させ、循環ポンプ１９を作動させて、貯湯タンク１の底部から水を循環路２に取出し、加熱手段３にて加熱したのち、貯湯路１５を通して貯湯タンク１の上部に供給するように、熱源用湯水循環手段Ｅを貯湯循環状態に切り換えるように構成されている。
そして、貯湯タンク１内に目標貯湯量の湯水を貯湯すると、貯湯運転を終了するように構成されている。
【００３６】
ちなみに、学習制御について説明を加えると、貯湯タンク１内の湯水を実際に給湯した実給湯状況に基づいて、貯湯タンク１内の湯水を給湯することが予測される時間帯として、給湯用時間帯を求めるようにしている。
例えば、１日を１時間ごとに複数の時間帯に区分けし、過去数日間において、貯湯タンク１内の湯水を実際に給湯した回数が設定回数以上の時間帯を給湯用時間帯として求めるようにしている。
【００３７】
前記貯湯運転における加熱手段３の動作について説明を加えると、ヒートポンプ装置を作動させて、ヒートポンプ式加熱手段３ａに冷媒を供給させ、ヒートポンプ式加熱手段３ａにて循環路２の湯水を加熱させ、加熱温サーミスタ２１による検出温度が目標貯湯温度（例えば、６０℃）になるようにヒートポンプ式加熱手段３ａの加熱量を調整するように構成されている。
そして、ヒートポンプ式加熱手段３ａによる加熱だけでは、加熱温サーミスタ２１による検出温度が目標貯湯温度（例えば、６０℃）になるように循環路２の湯水を加熱できない場合や、ヒートポンプ式加熱手段３ａでの加熱が行えない場合などの特別な場合には、加熱温サーミスタ２１による検出温度が目標貯湯温度（例えば、６０℃）になるように、補助加熱手段３ｂによる加熱量を調整するように構成されている。
【００３８】
このようにして、加熱手段３にて循環路２の湯水を貯湯設定温度に加熱して、その湯水を貯湯タンク１の上部から供給することによって、温度成層を形成する状態で、貯湯タンク１内に貯湯するように構成されている。
【００３９】
前記給湯運転は、給湯栓１４が開操作されたり、貯湯リモコンＲ２により湯張り要求が指令されると開始され、貯湯タンク１内に貯湯されている湯水を取り出して、その湯水に水を混合させて給湯路５を通して、給湯栓１４や浴槽Ｐに供給するように構成されている。
なお、貯湯タンク１内に湯水が貯湯されていなかったり、貯湯タンク１内の貯湯量が最低確保量未満であれば、上述の貯湯運転を実行して、貯湯タンク１内に貯湯しながら、その湯水を取り出して、給湯栓１４や浴槽Ｐに供給するように構成されている。
そして、給湯栓１４が閉操作されたり、浴槽Ｐ内の水位が目標水位なると、給湯運転を終了するように構成されている。
【００４０】
説明を加えると、給湯栓１４に給湯するときには、貯湯タンク１内に貯湯されている湯水を給湯路５に取り出して、貯湯リモコンＲ２などにて設定された給湯設定温度、貯湯出口サーミスタ９および給水サーミスタ８の検出情報に基づいて、給湯する湯水の温度が給湯設定温度になるようにミキシングバルブ７の開度を調整するとともに、ミキシングサーミスタ１１の検出情報に基づいて、その検出温度と給湯設定温度との偏差に基づいてミキシングバルブ７の開度を微調整することにより、給湯設定温度の湯水を給湯するように構成されている。
また、浴槽Ｐに湯張りするときにも、ミキシングバルブ７の開度を調整するなどして、湯張り設定温度の湯水を浴槽に供給するように構成され、浴槽Ｐへの湯水の供給を停止した状態で水位センサ２５により浴槽Ｐ内の水位を検出するようにしている。
【００４１】
前記追焚運転は、貯湯リモコンＲ２により追焚要求が指令されると開始され、外気温度や浴槽湯水温度などの情報に基づいて、ヒートポンプ式加熱手段３３のみを運転させるのか、または、補助加熱手段３５のみを運転させるのかが選択され、熱源用湯水循環手段Ｅおよび風呂操作手段Ｆを作動させるとともに、ヒートポンプ式加熱手段３ａおよび補助加熱手段３ｂのうち、選択された一方を運転させて浴槽湯水を加熱するように構成されている。
【００４２】
説明を加えると、循環路３を通流する湯水を、ヒートポンプ式加熱手段３ａおよび補助加熱手段３ｂのうち、選択された一方にて加熱したのち、その湯水を風呂用放熱部４３に供給し、その湯水を加熱手段４に戻すように熱源用湯水循環手段Ｅを放熱循環状態に切り換えるとともに、風呂ポンプ２４を作動させて、浴槽Ｐ内の浴槽湯水を風呂戻り路１２および風呂往き路１３を通して風呂追焚用放熱部２３に循環供給するように構成されている。
そして、風呂戻りサーミスタ２６の検出温度が追焚目標温度以上になると、熱源用湯水循環手段Ｅおよび加熱手段３の運転を停止して追焚運転を終了するように構成されている。
【００４３】
以下、追焚運転における加熱手段４の選択について説明する。
前記運転制御部Ｈには、図３に示すように、積算加熱効率条件を満たすか否かを外気温度と浴槽湯水の温度とから判別するための積算加熱効率可否判別用条件（図中Ｌｅ）と、加熱時間条件を満たすか否かを外気温度と浴槽湯水の温度とから判別するための沸き上げ時間可否判別用条件（図中Ｌｔ）と、冷媒圧力条件を満たすか否かを外気温度と浴槽湯水の温度とから判別するための冷媒圧力可否判別用条件（図中Ｌｐ）との３つの判別用条件が記憶されている。
【００４４】
前記運転制御部Ｈは、追焚運転開始時の外気温センサ３０による検出情報および風呂戻りサーミスタ２６による検出情報と、記憶されている積算加熱効率可否判別用条件（図３中Ｌｅ）、沸き上げ時間可否判別用条件（図３中Ｌｔ）、および、冷媒圧力可否判別用条件（図３中Ｌｐ）とに基づいて、積算加熱効率条件、加熱時間条件、および、冷媒圧力条件の３つの条件について満たすか否かを判別し、３つの条件のすべてを満たすときには、ヒートポンプ式加熱手段３ａの運転が可であると判別し、積算加熱効率条件、加熱時間条件、および、冷媒圧力条件のいずれかひとつでも満たさないときには、ヒートポンプ式加熱手段３ａの運転が不可であると判別する運転可否判別処理を実行するように構成されている。
そして、運転制御部Ｈは、運転可否判別処理において、ヒートポンプ式加熱手段３ａの運転が可のときには、ヒートポンプ式加熱手段３ａのみを運転させ、ヒートポンプ式加熱手段３ａの運転が不可のときには、補助加熱手段３ｂのみを運転させる加熱手段選択運転を実行するように構成されている。
【００４５】
説明を加えると、図３において、Ｌｅに対して、外気温度が高い側の領域が、積算加熱効率条件を満たす領域となり、Ｌｔに対して、外気温度が高い側の領域が、加熱時間条件を満たす領域となり、Ｌｐに対して、外気温度が低い側の領域が、冷媒圧力条件を満たす領域となる。
したがって、図３において、斜線部分の領域が、積算加熱効率条件、加熱時間条件、および、冷媒圧力条件のすべてを満たす領域となり、追焚運転開始時の外気温センサ３０の検出温度と風呂戻りサーミスタ２６の検出温度とから定まる位置が図３中の斜線部分の領域内にあるか否かによって、ヒートポンプ式加熱手段３ａの運転の可否を判別するように構成されている。
【００４６】
前記積算加熱効率可否判別用条件は、ヒートポンプ式加熱手段３ａを運転させることにより浴槽湯水を加熱したときの加熱開始から加熱完了までの積算加熱効率が補助加熱手段３ｂを運転させることにより浴槽湯水を加熱したときの加熱開始から加熱完了までの積算加熱効率を上回る積算加熱効率条件を満たすか否かを、外気温度と浴槽湯水の温度とから判別するための条件である。
説明を加えると、補助加熱手段３ｂを運転させることにより浴槽湯水を加熱したときの加熱開始から加熱完了までの積算加熱効率は、例えば、０．８程度と一定であるので、積算加熱効率可否判別用条件は、ヒートポンプ式加熱手段３ａを運転させることにより浴槽湯水を加熱したときの加熱開始から加熱完了までの積算加熱効率が、例えば、０．９を上回るか否かを、外気温度と浴槽湯水の温度とから判別するための条件である。
ちなみに、積算加熱効率とは、追焚浴槽湯水量と（追焚目標温度−追焚き開始時の浴槽湯水の温度）とを掛けたものを、追焚きのために入力したエネルギー量で割った値である。
【００４７】
前記積算加熱効率可否判別用条件の定め方について説明を加えると、追焚浴槽湯水量について、例えば、２００リットルを基準湯水量とし、追焚目標温度について、例えば、４２℃を基準目標温度とし、外気温度について、例えば、０℃、１０℃、２０℃、３０℃を基準外気温度とする。
そして、基準湯水量および基準目標温度での基準外気温度の夫々について、図４に示すように、追焚きのときの加熱開始から加熱終了までの積算加熱効率と追焚き開始時の浴槽湯水の温度との関係をもっており、その関係を用いて、積算加熱効率が、０．９を上回るときの外気温度と浴槽湯水の温度を求めて、積算加熱効率可否判別用条件を定めるようにしている。
【００４８】
ちなみに、追焚浴槽湯水量、追焚目標温度、外気温度が基準のものから変動している場合には、その変動量などに基づいて補正した積算加熱効率に基づいて、積算加熱効率が、０．９を上回るときの外気温度と浴槽湯水の温度を求めて、積算加熱効率可否判別用条件を定めるようにしている。
【００４９】
前記沸き上げ時間可否判別用条件は、ヒートポンプ式加熱手段３ａを運転させることにより浴槽湯水を加熱したときの加熱開始から加熱完了までの加熱時間が加熱開始時の浴槽湯水の温度が低いほど長くなるように設定される沸き上げ期待時間よりも短くなる加熱時間条件を満たすか否かを、外気温度と浴槽湯水の温度とから判別するための条件である。
説明を加えると、例えば、図５示すように、追焚き開始時の浴槽湯水温度が低いほど長くなるように沸き上げ期待時間が設定されているので、沸き上げ時間可否判別用条件は、ヒートポンプ式加熱手段３ａを運転させることにより浴槽湯水を加熱したときの追焚きにかかる加熱時間が沸き上げ期待時間よりも短くなるか否かを、外気温度と浴槽湯水の温度とから判別するための条件である。
【００５０】
前記沸き上げ時間可否判別用条件の定め方について説明を加えると、例えば、図５に示すように、沸き上げ期待時間が追焚き開始時の浴槽湯水温度が低いほど長くなるように設定されているので、その沸き上げ期待時間よりも短くなるときの外気温度と浴槽湯水の温度を求めて、沸き上げ時間可否判別用条件を定めるようにしている。
【００５１】
前記冷媒圧力可否判別用条件は、ヒートポンプ式加熱手段３ａを運転させることにより浴槽湯水を加熱したときのヒートポンプ式加熱手段３ａにおける冷媒圧力が設定圧力以下になる冷媒圧力条件を満たすか否かを、外気温度と浴槽湯水の温度とから判別するための条件である。
説明を加えると、ヒートポンプ式加熱手段３ａにおける冷媒圧力が上昇し過ぎると、ヒートポンプ式加熱手段３ａにて加熱できないような状況になるので、設定圧力を冷媒高圧の上限値に設定して、冷媒圧力を設定圧力以下に維持できるか否かを、外気温度と浴槽湯水の温度とから判別するための条件である。
ちなみに、冷媒圧力可否判別用条件の定め方について、ヒートポンプ装置の能力などに基づいて、冷媒圧力を設定圧力以下に維持できる外気温度と浴槽湯水の温度とを求めて、冷媒圧力可否判別用条件を定めるようにしている。
【００５２】
前記運転制御部Ｈは、運転可否判別処理において、上述の如く、積算加熱効率条件、加熱時間条件、および、冷媒圧力条件の３つの判別用条件を満たすか否かの判別に加えて、ヒートポンプ式加熱手段３ａを運転させることにより浴槽湯水を加熱したときの加熱完了時刻を推定し、その加熱完了時刻から設定時間内に貯湯タンク１内の湯水を給湯する給湯要求があるか否かを判別する。
そして、運転制御部Ｈは、積算加熱効率条件のみ満たしておらず、加熱完了時刻から設定時間内に給湯要求があるときには、ヒートポンプ式加熱手段３ａのみを運転させて浴槽湯水を加熱したのち、ヒートポンプ式加熱手段３ａの運転を継続させて、熱源用湯水循環手段Ｅを貯湯循環状態に切り換え、貯湯タンク１内の湯水を加熱する追焚貯湯連続運転を実行するように構成されている。
【００５３】
上述の加熱完了時刻から設定時間内に給湯要求があるか否かの判別について説明を加えると、ヒートポンプ式加熱手段３ａを運転させることにより浴槽湯水を加熱したときの加熱開始から加熱完了までの積算加熱効率と、追焚きのための必要熱量とから、ヒートポンプ式加熱手段３ａを運転させることにより浴槽湯水を追焚きのために入力する入力エネルギー量を求め、その入力エネルギー量とヒートポンプ装置の定格入力値とから、加熱完了時刻を求める。
そして、その加熱完了時刻から設定時間内に、上述の学習制御にて求められた給湯用時間帯の開始時刻があるか否かによって、加熱完了時刻から設定時間内に給湯要求があるか否かを判別するようにしている。
【００５４】
ちなみに、学習制御において、貯湯タンク１内の湯水を実際に給湯した実給湯時刻を記憶することにより、加熱完了時刻から設定時間内に実給湯時刻があるか否かによって、加熱完了時刻から設定時間内に給湯要求があるか否かを判別することも可能である。
【００５５】
前記追焚貯湯連続運転について説明を加えると、まず、ヒートポンプ式加熱手段３ａのみを運転させて上述の追焚運転を行い、追焚運転が終了すると、ヒートポンプ式加熱手段３ａの運転を継続させたまま、熱源用湯水循環手段Ｅを貯湯循環状態に切り換えて、上述の貯湯運転を行うように構成されている。
そして、追焚貯湯連続運転を実行したときの運転開始から運転停止までの連続運転用積算加熱効率が、補助加熱手段３ｂを運転させることにより浴槽湯水や貯湯タンク１内の湯水を加熱したときの加熱開始から加熱完了までの積算加熱効率（例えば、０．８程度）を上回るための必要運転時間を求めて、追焚貯湯連続運転の開始から必要運転時間が経過すると、貯湯運転を停止して追焚貯湯連続運転を終了するように構成されている。
【００５６】
上述の追焚運転における運転制御部Ｈの制御動作を図６フローチャートに基づいて説明する。
水位センサ２５の検出水位を読み込んでその読み込み検出水位が設定水位以上の状態を確認し、読み込み検出水位が設定水位未満のときは、水位センサ２５の検出水位が設定水位になるまで給湯運転を実行する湯張処理を行い、風呂ポンプ２４を作動させる（ステップ１〜３）。
その後、運転可否判別処理を実行し、積算加熱効率条件、加熱時間条件、および、冷媒圧力条件の３つの判別用条件を満たすか否かの判別、および、加熱完了時刻から設定時間内に貯湯タンク１内の湯水を給湯する給湯要求があるか否かの判別を行い、ヒートポンプ式加熱手段３ａの運転の可否を判別する（ステップ４）。
【００５７】
そして、運転可否判別処理において、ヒートポンプ式加熱手段３ａの運転が可であるときには、ヒートポンプ式加熱手段３ａのみを運転させて浴槽湯水を加熱し、風呂戻りサーミスタ２６の検出温度が追焚目標温度以上になると、熱源用湯水循環手段Ｅ、風呂操作手段Ｆ、加熱手段３などの運転を停止する停止処理を行って、追焚運転を終了する（ステップ６〜８）。
【００５８】
また、運転可否判別処理において、積算加熱効率条件以外の条件が満たしていないとき、および、積算加熱効率条件のみ満たしていないときでも、加熱完了時刻から設定時間内に貯湯タンク１内の湯水を給湯する給湯要求がないときには、補助加熱手段３ｂのみを運転させて浴槽湯水を加熱し、風呂戻りサーミスタ２６の検出温度が追焚目標温度以上になると（ステップ９〜１２）、熱源用湯水循環手段Ｅ、風呂操作手段Ｆ、加熱手段３などの運転を停止する停止処理を行って、追焚運転を終了する（ステップ８）。
【００５９】
前記運転可否判別処理において、積算加熱効率条件のみ満たしておらず、加熱完了時刻から設定時間内に貯湯タンク１内の湯水を給湯する給湯要求があるときには、追焚貯湯連続運転を実行して、ヒートポンプ式加熱手段３ａを運転させた状態で追焚きと貯湯タンク１への貯湯を連続して行う（ステップ９，１０，１２）。
【００６０】
〔第２実施形態〕
この第２実施形態は、上記第１実施形態における追焚貯湯連続運転を実行するための条件の構成の別実施形態を示すものであり、その構成について、以下、説明を加える。
なお、その他の構成については、上記第１実施形態と同様であるので、同符号を記すなどにより、その詳細な説明は省略する。
【００６１】
すなわち、運転制御部Ｈは、運転可否判別処理において、上記第１実施形態と同様に、積算加熱効率条件、加熱時間条件、および、冷媒圧力条件の３つの判別用条件を満たすか否かの判別、および、加熱完了時刻から設定時間内に貯湯タンク１内の湯水を給湯する給湯要求があるか否かの判別を行うとともに、追焚貯湯連続運転を実行したときの運転開始から運転停止までの連続運転用積算加熱効率を求めて、その連続運転用積算加熱効率が、補助加熱手段３ｂを運転させることにより浴槽湯水および貯湯タンク１内の湯水を加熱したときの加熱効率を上回るように設定される補助加熱手段用の設定積算加熱効率を上回るか否かを判別するように構成されている。
そして、運転制御部Ｈは、積算加熱効率のみを満たしておらず、加熱完了時刻から設定時間内に給湯要求があるときには、連続運転用積算加熱効率が補助加熱手段用の設定積算加熱効率を上回るときのみ、追焚貯湯連続運転を実行するように構成されている。
【００６２】
前記連続運転用積算加熱効率が補助加熱手段用の設定積算加熱効率を上回るか否かの判別について説明を加えると、追焚貯湯連続運転を実行したときに、浴槽湯水を加熱したときの積算加熱効率と、追焚貯湯連続運転を実行したときに、貯湯タンク１内の放熱量を鑑みた状態で、貯湯タンク１内の湯水を加熱したときの積算加熱効率とを求めて、それぞれの積算加熱効率を足し合わせて連続運転用積算加熱効率を求め、その連続運転用積算加熱効率が補助加熱手段用の設定積算加熱効率（例えば、０．９）を上回るか否かを判別する。
【００６３】
前記連続運転用積算加熱効率の求め方について説明を加えると、追焚貯湯連続運転を実行した状態において、浴槽湯水を加熱したときの追焚必要熱量Ｇ１と追焚入力エネルギー量Ｑ１とを求めるとともに、貯湯タンク１内の湯水を加熱したときの貯湯必要熱量Ｇ２と貯湯入力エネルギー量Ｑ２とを求める。
また、追焚貯湯連続運転の運転終了時刻から学習制御にて求められた給湯用時間帯の開始時刻までの放熱量ＧＬを求めて、下記〔数１〕により、連続運転用積算加熱効率αを求める。
【００６４】
【数１】
α＝（Ｇ１＋Ｇ２−ＧＬ）／（Ｑ１＋Ｑ２）
【００６５】
前記追焚必要熱量Ｇ１は、追焚浴槽湯水量と、追焚目標温度と、追焚き開始時の浴槽湯水の温度とから求められ、追焚入力エネルギー量Ｑ１は、ヒートポンプ式加熱手段３ａを運転させることにより浴槽湯水を加熱したときの加熱開始から加熱完了までの積算加熱効率と、追焚必要熱量Ｇ１とから求められる。
【００６６】
前記貯湯必要熱量Ｇ２は、学習制御により実際に貯湯タンク１内の湯水を給湯した給湯量に基づいて求められた必要貯湯量と、貯湯目標温度と、底部サーミスタＳ２の検出情報から検出される追焚き開始時の貯湯タンク１の底部の温度とから求められ、貯湯入力エネルギー量Ｑ２は、追焚貯湯連続運転においてヒートポンプ式加熱手段３ａを運転させることにより貯湯タンク１内の湯水を加熱したときの加熱開始から加熱完了までの積算加熱効率と、貯湯必要熱量Ｇ２とから求められる。
【００６７】
ちなみに、追焚貯湯連続運転においてヒートポンプ式加熱手段３ａを運転させることにより貯湯タンク１内の湯水を加熱するときには、ヒートポンプ式加熱手段３ａの運転を継続させているので、ヒートポンプ式加熱手段３ａの運転開始初期の加熱効率が低い状態での運転を回避することができることになる。
したがって、ヒートポンプ式加熱手段３ａを運転させることにより貯湯タンク１内の湯水を加熱したときに、図７に示すように、ある時点での瞬時加熱効率▲１▼と運転を開始させてからその時点までの積算加熱効率▲２▼とは、ほぼ同じような値となる。
以上のことから、追焚貯湯連続運転においてヒートポンプ式加熱手段３ａを運転させることにより貯湯タンク１内の湯水を加熱したときの加熱開始から加熱完了までの積算加熱効率については、ある時点での瞬時加熱効率をそのまま適応して、図８の表に示すように、外気温度と貯湯タンク１の底部の水温とから求められることになる。
【００６８】
前記放熱量ＧＬは、ヒートポンプ装置の定格入力値と、追焚入力エネルギー量Ｑ１と、貯湯入力エネルギー量Ｑ２とから追焚貯湯連続運転の連続運転終了時刻を求め、その連続運転終了時刻から学習制御により求められた給湯用時間帯の開始時刻までの時間と、単位時間当たりの貯湯タンク１内の湯水の放熱量とから求められる。
【００６９】
前記運転制御部Ｈの制御動作について図９のフローチャートに基づいて説明する。
ちなみに、図９のフローチャートは、図６のフローチャートの一部のみを抜き出したものであり、図６の制御動作と同様の制御動作については、同じステップ番号を記すなどにより、その説明は省略する。
【００７０】
前記運転可否判別処理において、積算加熱効率条件のみ満たしておらず、加熱完了時刻から設定時間内に貯湯タンク１内の湯水を給湯する給湯要求があっても（ステップ９，１０）、連続運転用積算加熱効率が補助加熱手段用の設定積算加熱効率（例えば、０．９）を上回らないときには（ステップ２１）、補助加熱手段３ｂのみを運転させて浴槽湯水を加熱する（ステップ１１）。
【００７１】
前記運転可否判別処理において、積算加熱効率条件のみ満たしておらず、加熱完了時刻から設定時間内に貯湯タンク１内の湯水を給湯する給湯要求があり、さらに、連続運転用積算加熱効率が補助加熱手段用の設定積算加熱効率（例えば、０．９）を上回るときには、追焚貯湯連続運転を実行して、ヒートポンプ式加熱手段３ａを運転させた状態で追焚きと貯湯タンク１への貯湯を連続して行う（ステップ２１，１３）。
【００７２】
ちなみに、この第２実施形態においては、学習制御により実際に貯湯タンク１内の湯水を給湯した給湯量に基づいて求められた必要貯湯量を貯湯すると、貯湯運転を停止して追焚貯湯連続運転を終了するように構成されている。
【００７３】
〔別実施形態〕
（１）上記第２実施形態では、連続運転用積算加熱効率を、貯湯タンク１内の放熱量を鑑みた状態で求めるようにしているが、湯タンク１内の放熱量を鑑みることなく、下記〔数２〕にて、連続運転用積算加熱効率αを求めて、実施することも可能であり、連続運転用積算加熱効率の求め方について適宜変更が可能である。
【００７４】
【数２】
α＝（Ｇ１＋Ｇ２）／（Ｑ１＋Ｑ２）
【００７５】
（２）上記第１および第２実施形態では、積算加熱効率条件のみ満たしておらず、加熱完了時刻から設定時間内に給湯要求があるときには、追焚貯湯連続運転を実行するようにしているが、追焚貯湯連続運連を行わずに実施することも可能である。
【００７６】
（３）上記第１および第２実施形態では、追焚運転において、常時、加熱手段選択運転を実行するようにしているが、例えば、加熱手段選択運転を実行するか否かを選択する選択スイッチを貯湯リモコンＲ２に設けて、その選択スイッチの選択情報に基づいて、加熱手段選択運転を実行するか否かを選択して実施することも可能である。
【００７７】
（４）上記第１および第２実施形態では、図３に示すように、積算加熱効率可否判別用条件と沸き上げ時間可否判別用条件と冷媒圧力可否判別用条件とを定めている例を示したが、積算加熱効率可否判別用条件と沸き上げ時間可否判別用条件と冷媒圧力可否判別用条件とのいずれも、上記第１および第２実施形態において例示したものに限定されるものではなく、ヒートポンプ式加熱手段３ａの性能や、補助加熱手段３ｂの性能などに応じて適宜設定可能である。
【００７８】
（５）上記第１および第２実施形態では、補助加熱手段３ａとして、ガス燃焼式のバーナを備えたものを例示したが、その他に液体燃料燃焼式のバーナを備えたものや、電気ヒータを備えたものを用いることができる。
【００７９】
（６）上記第１および第２実施形態では、本発明にかかる風呂用追焚装置を貯湯式の風呂給湯装置に適応した例を示したが、風呂用追焚装置単独としても適応することが可能であり、風呂用追焚機能を有する各種の装置に適応可能である。
【図面の簡単な説明】
【図１】貯湯式の風呂給湯装置の概略構成図
【図２】貯湯式の風呂給湯装置の制御ブロック図
【図３】積算加熱効率可否判別用条件と沸き上げ時間可否判別用条件と冷媒圧力可否判別用条件を示すグラフ
【図４】ヒートポンプ式加熱手段を運転させたときの加熱効率と浴槽湯水の温度との関係を示すグラフ
【図５】沸き上げ期待時間と浴槽湯水の温度との関係を示すグラフ
【図６】第１実施形態での追焚運転における制御動作を示すフローチャート
【図７】ヒートポンプ式加熱手段を運転させて貯湯したときの瞬時加熱効率と積算加熱効率を示すグラフ
【図８】ヒートポンプ式加熱手段を運転させたときの加熱効率を示す表
【図９】第２実施形態での追焚運転における制御動作を示すフローチャート
【図１０】ヒートポンプ式加熱手段を運転させて追焚したときの瞬時加熱効率と積算加熱効率を示すグラフ
【符号の説明】
１              貯湯タンク
３              加熱手段
３ａ            ヒートポンプ式加熱手段
３ｂ            補助加熱手段
５              給湯路
２６            浴槽温検出手段
３０            外気温検出手段
Ｅ              熱源用湯水循環手段
Ｆ              浴槽湯水循環手段
Ｈ              制御手段
【図１】
2004205140.tif 000003
【図２】
2004205140.tif 000004
【図３】
2004205140.tif 000005
【図４】
2004205140.tif 000006
【図５】
2004205140.tif 000007
【図６】
2004205140.tif 000008
【図７】
2004205140.tif 000009
【図８】
2004205140.tif 000010
【図９】
2004205140.tif 000011
【図１０】
2004205140.tif 000012